(57)【要約】      （修正有）【課題】折り畳み式遠赤外線治療器の提供。【解決手段】遠赤外線治療器は、フレーム１と支持フレーム２及びカバーからなる折り畳み式反射カバー、マットレス３、遠赤外線発射器２２、及び結束帯４６を具え、該フレームは連続する蛇籠状を呈する折り畳み式のフレームを具え、フレームの末端に半円形の支持フレームが固定され、支持フレームの上にファンを具えた遠赤外線発射器が固定され、支持フレームの両側底端にそれぞれ挿入棒が凸設され、フレームと支持フレームが軟質マットレス上に置かれ且つ支持フレームの挿入棒２３がマットレスの挿入管３１中に挿入され、フレーム及び支持フレームの外部が一層のカバー４で被覆され、人体がその内側に仰臥できる反射カバーが形成され、以上の設置により、フレームが支持フレームに向けて折り畳まれて、結束帯でフレーム、支持フレーム及びカバーを結束できる。【選択図】図１
0003101397.tif 000002
【実用新案登録請求の範囲】
【請求項１】
フレーム、支持フレーム、軟質マットレス及びカバーを具え、
該フレームは複数の半円弧形の支持棒で構成され、各支持棒の一側端が次の支持棒の同側端に接続され並びに接続ヘッドを形成し、フレーム全体が連続する蛇籠状を形成し、
該支持フレームは上記フレームの支持棒形状に対応する半円形フレームとされ、そのアーチ形の上端より下向きに一対の固定棒が延伸されて赤外線発射器が固定され、該支持フレームの下端両側より軟質マットレスに向けて支持フレームの半円形フレームと垂直を呈するように一対の挿入棒が延伸され、
該軟質マットレスの面積は、フレームと支持フレームがその上に置かれ、該軟質マットレスの後端に支持フレームの挿入棒を挿入する挿入管が設けられ、
該カバーはフレームの外側に固定され、底端が開放状とされ、両側縁のフレームの支持棒の接続ヘッドに対応する位置に接続ヘッドが挿入される固定ブロックが設けられ、且つカバーの前端に開閉可能な布簾が接合され、前端端面の内面に粘着帯を具えた結束帯が設けられて、
支持フレームがフレーム末端に接合され、並びにマットレスの上に放置され、支持フレームの挿入棒がマットレス末端の挿入管に挿入され、カバーがフレーム及び支持フレームの上を被覆するよう設置され並びにフレームの接続ヘッドがカバーの固定ブロックに挿入され、こうして人体が内側に仰臥できる遠赤外線治療器が形成され、該遠赤外線治療器は全ての支持棒を支持フレームに向けて折り畳み、さらに結束帯で支持棒、支持フレーム及びカバーを結束して固定し、マットレスを末端に折り畳むことができ、収納及び携帯に便利とすることができることを特徴とする、折り畳み式遠赤外線治療器。
【請求項２】
請求項１記載の折り畳み式遠赤外線治療器において、遠赤外線発射器内部にＰＴＣ発熱体及び熱を導出するファンが設けられたことを特徴とする、折り畳み式遠赤外線治療器。
【請求項３】
請求項１記載の折り畳み式遠赤外線治療器において、折り畳み後の軟質マットレスが別の結束帯で結束されることを特徴とする、折り畳み式遠赤外線治療器。
【請求項４】
請求項１記載の折り畳み式遠赤外線治療器において、カバー後端面の遠赤外線発射器の背面に対応する位置に貫通孔が設けられて、該貫通孔の外部に蓋片が着脱自在に装着されたことを特徴とする、折り畳み式遠赤外線治療器。
【請求項５】
請求項１記載の折り畳み式遠赤外線治療器において、折り畳み式遠赤外線治療器の内側に遠赤外線治療器内部の温度を高めるための一組の独立式遠赤外線発射装置が増設されたことを特徴とする、折り畳み式遠赤外線治療器。
【考案の詳細な説明】
【技術分野】
【０００１】
本考案は一種の遠赤外線治療器に係り、特に、折り畳み式反射カバーが遠赤外線発射器に付設されて保健機能を発揮する遠赤外線治療器用であり、折り畳み可能で収納と携帯に便利な遠赤外線治療器に関する。
【背景技術】
【０００２】
周知の遠赤外線治療器用は、立式と仰臥式の二種類に分けられ、前者は矩形箱体を具え、箱体内にシートと遠赤外線発射器が設けられ、これにより使用者が箱体内に座り、頭部と手を箱体より外に伸ばし、熱気上昇の原理により熱空気を箱体内に充満させて人体に均一に熱を受けさせる。このような立式の遠赤外線治療器は、往々にして使用者が長時間シートに座らねばならず、人体内の血液が下半身に集中し、頭部の血液量が減り、めまい等の不適感を発生する。さらに人体が熱を受けた後に血管が拡張するため、血液が更に頭部に伝送されにくくなり、頭部の酸素不足とめまいの状況が更に厳重となり使用者の不適感も倍増した。仰臥式の遠赤外線治療器は、通常ベッドとカバーを具えており、例えば特許文献１に示されるようなものがあり、人体を仰臥させて均一に熱を受けさせるため、大面積のベッドとカバーの設置が必要である。ベッドの上には複数の遠赤外線装置を設け、またカバー内層に遠赤外線層を設ける必要があり、このような設計のため体積が過大となり、製造コストが高くなり、場所をとり、折り畳みと携帯不能である問題を有している。この問題を改善するため、本考案者は特許文献２に記載の反射カバーを提供しているが、本考案は更にそれを改良したものである。
【０００３】
【特許文献１】台湾特許公報公告第３３１１４６号
【特許文献２】台湾特許出願第８９２１５８６２号
【考案の開示】
【考案が解決しようとする課題】
【０００４】
本考案は保健機能を具備するだけでなく、折り畳みでき携帯に便利な遠赤外線治療器を提供することを課題としている。
【課題を解決するための手段】
【０００５】
請求項１の考案は、フレーム、支持フレーム、軟質マットレス及びカバーを具え、
該フレームは複数の半円弧形の支持棒で構成され、各支持棒の一側端が次の支持棒の同側端に接続され並びに接続ヘッドを形成し、フレーム全体が連続する蛇籠状を形成し、
該支持フレームは上記フレームの支持棒形状に対応する半円形フレームとされ、そのアーチ形の上端より下向きに一対の固定棒が延伸されて赤外線発射器が固定され、該支持フレームの下端両側より軟質マットレスに向けて支持フレームの半円形フレームと垂直を呈するように一対の挿入棒が延伸され、
該軟質マットレスの面積は、フレームと支持フレームがその上に置かれ、該軟質マットレスの後端に支持フレームの挿入棒を挿入する挿入管が設けられ、
該カバーはフレームの外側に固定され、底端が開放状とされ、両側縁のフレームの支持棒の接続ヘッドに対応する位置に接続ヘッドが挿入される固定ブロックが設けられ、且つカバーの前端に開閉可能な布簾が接合され、前端端面の内面に粘着帯を具えた結束帯が設けられて、
支持フレームがフレーム末端に接合され、並びにマットレスの上に放置され、支持フレームの挿入棒がマットレス末端の挿入管に挿入され、カバーがフレーム及び支持フレームの上を被覆するよう設置され並びにフレームの接続ヘッドがカバーの固定ブロックに挿入され、こうして人体が内側に仰臥できる遠赤外線治療器が形成され、該遠赤外線治療器は全ての支持棒を支持フレームに向けて折り畳み、さらに結束帯で支持棒、支持フレーム及びカバーを結束して固定し、マットレスを末端に折り畳むことができ、収納及び携帯に便利とすることができることを特徴とする、折り畳み式遠赤外線治療器としている。
請求項２の考案は、請求項１記載の折り畳み式遠赤外線治療器において、遠赤外線発射器内部にＰＴＣ発熱体及び熱を導出するファンが設けられたことを特徴とする、折り畳み式遠赤外線治療器としている。
請求項３の考案は、請求項１記載の折り畳み式遠赤外線治療器において、折り畳み後の軟質マットレスが別の結束帯で結束されることを特徴とする、折り畳み式遠赤外線治療器としている。
請求項４の考案は、請求項１記載の折り畳み式遠赤外線治療器において、カバー後端面の遠赤外線発射器の背面に対応する位置に貫通孔が設けられて、該貫通孔の外部に蓋片が着脱自在に装着されたことを特徴とする、折り畳み式遠赤外線治療器としている。
請求項５の考案は、請求項１記載の折り畳み式遠赤外線治療器において、折り畳み式遠赤外線治療器の内側に遠赤外線治療器内部の温度を高めるための一組の独立式遠赤外線発射装置が増設されたことを特徴とする、折り畳み式遠赤外線治療器としている。
【考案の効果】
【０００６】
本考案は遠赤外線発射器を具えた支持フレームが軟質マットレスに組み合わされ並びにフレームとカバーが組み合わされてなり、ゆえに別に独立した遠赤外線発射設備を必要とせず、極めて全体性を具え、操作に便利であり、カバー４の布簾４３が着脱の容易な分離式設計とされ、ゆえに使用者が布簾４３を取り外して洗うのに便利であり、また折り畳んで体積を縮小でき収納或いは携帯に便利であり、これは周知の技術では達成しえない長所である。
【考案を実施するための最良の形態】
【０００７】
本考案の折り畳み式遠赤外線治療器は、折り畳み式のフレーム、支持フレーム、軟質マットレス及びカバーを具えている。そのうち、フレームは複数の半円弧形の支持棒で構成され、各支持棒の一側端が次の支持棒の同側端に接続され並びに接続ヘッドを形成し、フレーム全体が連続する蛇籠状を形成している。支持フレームはフレームの支持棒形状に対応する半円形フレームとされ、そのアーチ形の上端より下向きに一対の固定棒が延伸されて赤外線発射器の固定に供される。支持フレームの下端両側より軟質マットレスに向けて支持フレームの半円形フレームと垂直を呈するように一対の挿入棒が延伸されている。軟質マットレスの面積は、フレームと支持フレームをその上に設置するのに適したものとされ、該軟質マットレスの末端に支持フレームの挿入棒を挿入する挿入管が設けられている。カバーはフレーム外側に固定され、底端が開放状とされ、両側縁のフレームの支持棒の接続ヘッドに対応する位置に接続ヘッドが挿入される固定ブロックが設けられ、且つカバーの前端に開閉可能な布簾が接合され、カバーの前端内側に粘着帯を具えた結束帯が設けられている。これにより支持フレームがフレーム末端に接合され、並びにマットレスの上に放置され、支持フレームの挿入棒がマットレス末端の挿入管に挿入され、カバーがフレーム及び支持フレームの上を被覆するよう設置され並びにフレームの接続ヘッドがカバーの固定ブロックに挿入され、こうして人体が内側に仰臥できる折り畳み式遠赤外線治療器が形成され、それは全ての支持棒を支持フレームに向けて折り畳み、さらに結束帯で支持棒、支持フレーム及びカバーを結束して固定し、マットレスを末端に折り畳むことができ、収納及び携帯に便利とされている。
【実施例１】
【０００８】
図１を参照されたい。本考案は、一組の、折り畳み式フレーム１、支持フレーム２、軟質マットレス３及びカバー４を具えている。
【０００９】
該フレーム１は複数の半円弧形の支持棒１１で構成され、各支持棒１１の一側端が次の支持棒１１の同側端に接続され並びに接続ヘッドを形成し、フレーム１全体が連続する蛇籠状を形成している。
【００１０】
該支持フレーム２はフレーム１の一側（人体が軟質マットレス３上に仰臥している時はその足端に接近する位置）に位置し、フレーム１の支持棒形状１１に対応する半円形フレームとされ、そのアーチ形の上端より下向きに一対の固定棒２１が延伸されて該固定棒２１の前側に内部にＰＴＣ発熱体及び熱を導出するファン（図示せず）を具えた遠赤外線発射器２２が取り付けられ、該遠赤外線発射器２２は電線２２１で温度と時間を制御するコントローラ２２２に接続され、支持フレームの底端両側には半円形フレームと垂直を呈するように軟質マットレス３に向けて延伸された挿入棒２３が設けられている。
【００１１】
該軟質マットレスの面積はフレーム１と支持フレーム２をその上に設置するのに適したものとされ、該軟質マットレス３の末端に支持フレーム２の挿入棒２３が挿入される挿入管２３が設けられている。
【００１２】
該カバー４はフレーム１と支持フレーム２の外部に固定され、底端が開放状とされ、両側縁の、フレーム１の支持棒１１の接続ヘッドに対応する位置に、接続ヘッドが挿入される固定ブロック４１が設けられ、且つカバー４の前端（人体仰臥時の人体頭部に接近する端部）に粘着帯４２、４３１で布簾４３が接合され、該布簾４３が中間の開閉できる開口４３２を具え、該カバー４の後端（人体仰臥時に人体足部に近い端部）の、支持フレーム２の遠赤外線発射器２２に対応する位置に、貫通孔４４が設けられ、該貫通孔４４に粘着帯４４１が環状に配置され、蓋片４５が粘着帯４５１で粘着され、並びに貫通孔４４が閉じられるか或いは開放される。また、布簾４３を設けるカバーの端面に粘着帯４６１を具えた結束帯４６が設けられている（３本が設けられて３点結束をするのが好ましい。）。
【００１３】
本考案の組合せ状態は図２及び図３に示されるようであり、まず、支持フレーム２がフレーム１末端に遠赤外線発射器２２がフレーム１の内側を向くように接合され、並びに両者が軟質マットレス３の上に置かれ、支持フレーム２の挿入棒２３が軟質マットレス３の底部の挿入管３１内に挿入され（図２）、さらにカバー４がフレーム１と支持フレーム２の上に設置され、並びにフレーム１の支持棒１１の接続ヘッドがカバー４の両側縁の対応する固定ブロック４１に挿入され位置決めされる。これによりフレーム１によりカバー４が展開され並びにマットレス３上方を被覆し、図３に示される状態を形成し、内部に人体が仰臥する半円形の収容室を形成する。
【００１４】
本考案の使用状態は図４に示されるようであり、カバー４端面の蓋片４５を取り外して遠赤外線発射器２２背部をカバー４後端端面の貫通孔４４の位置に合わせ、使用者が軟質マットレス３の上に仰臥し、遠赤外線治療器内部の半円形収容室中に位置し、頭部を布簾４５の開口４３２より遠赤外線治療器外部に伸ばす。これにより、遠赤外線発射器２２が外界の空気を吸収し、ＰＴＣ発熱体により遠赤外線を具えた熱空気を形成し並びに徐々に全体の遠赤外線治療器の半円形収容室中に充満させる。こうして使用者はただ軟質マットレス３の上に仰臥するだけでリラックスした状態で遠赤外線サウナを享受できる。このほか、使用者は更にコントローラ２２２を利用して遠赤外線発射器２２の運転時間と温度を使用者の身体状況に合わせて調整することができ、且つ遠赤外線治療器中で休憩をとることができ、肉体と精神のいずれも完全にリラックスさせることができる。さらに、本考案はまた一組の遠赤外線発射装置６を増設することが可能で、図５にしめされるように、極めて寒冷な地区で本考案を使用する時に支持フレーム２の遠赤外線発射器２２の熱が不足すると感じられる時、使用者は足裏に対応する位置に別の一組の独立した遠赤外線発射装置６を設置して、且つ遠赤外線発射装置６のプラグを直接遠赤外線発射器２２の背面に増設したソケットに挿入して使用することができ、極めて便利で且つ大幅に遠赤外線治療器内部の温度を高めることができる。
【００１５】
使用完了後には本考案を折り畳むことができ、それは図６に示されるようであり、全部の支持棒１１を後方の支持フレーム２に向けて圧迫して支持棒１１をカバー４と一体に支持フレーム２の前方に折り畳み、最後のカバー４の結束帯４６を支持棒１１、支持フレーム２、及びカバー４に掛けて結束固定し、さらに軟質マットレス３を前端より支持フレーム２の方向に折り畳んで固定し（別の結束帯５で結束できる）、こうして図６のような結束折り畳み状態を形成することができ、これにより大幅に体積、占用空間を減らすことができ、収納或いは外出時の携帯のいずれにも極めて便利とされている。
【００１６】
また、本考案は単純に一層のカバー４を使用するほか、カバー４及びフレーム１の内部に隔離、断熱（例えば人体体温）の機能を具えてアルミ繊維を織成してなる内層（本考案の必要な部材ではないため図示せず）を設けることも可能で、内層とカバー４でフレーム１を挟持被覆して露出させない形態とすることができる。このほか、本考案は温室或いは寝袋としても使用できる。
【図面の簡単な説明】
【００１７】
【図１】本考案の分解斜視図である。
【図２】本考案の組合せ断面図である。
【図３】本考案の斜視図である。
【図４】本考案の使用状態表示図である。
【図５】本考案のもう一つの使用状態表示図である。
【図６】本考案の折り畳み状態表示図である。
【符号の説明】
【００１８】
１  フレーム
１１  支持棒
２  支持フレーム
２１  固定棒
２２  遠赤外線発射器
２２１  電線
２２２  コントローラ
２３  挿入棒
３  軟質マットレス
３１  挿入管
４  カバー
４３１  粘着帯
４３２  開口
４４  貫通孔
４４１  粘着帯
４５  蓋片
４５１  粘着帯
４６  結束帯
４６１  粘着帯
５  結束帯
６  遠赤外線発射装置
【図１】
0003101397.tif 000003
【図２】
0003101397.tif 000004
【図３】
0003101397.tif 000005
【図４】
0003101397.tif 000006
【図５】
0003101397.tif 000007
【図６】
0003101397.tif 000008